(57)【要約】  適切な提供温度範囲で飲食される液状または粘性食品用の可撓性の袋（４）が内部まで延在する内部チャンバ（３）を画定する壁（２）を備える容器（１）を有し、可撓性の袋が弁（５Ｖ）を備える部品（５）と結合した、硬質の箱。箱は、可撓性の袋の外側で内部チャンバ内で水性媒体を流して、飲食される食品の温度を制御するのに適した、通路を備える。容器の上側部分（１Ｓ）が、弁に結合した可動の制御デバイス（６０１）に対して作用することができる要素のための、１つもしくは複数の通路（６２５）を有するカバー（１Ｃ）と結合する。【選択図】図３
2020500795.tif 000002
【特許請求の範囲】
【請求項１】
硬質の箱（１）とカバー（Ｃ）との組み合わせであって、前記硬質の箱が、内部チャンバ（３）内を流れる水性媒体を使用することによって適切な提供温度範囲で飲食される液状または粘性の食品用の可撓性の袋（４）が中に延在する、前記内部チャンバ（３）を画定する少なくとも１つの壁（２）を有する容器（１）を有し、前記袋（４）が、弁（５Ｖ）を少なくとも開位置と閉位置との間で動かす可動の制御デバイス（６０１）を有する、部分または本体（６０２Ｃ）を有する弁デバイス（６０２）と結合した部品（５）と結合し、前記容器（１）が、下側部分（１Ｉ）もしくは底部（８）が前記内部チャンバ（３）と連通する少なくとも１つの開口部（１０）または前記開口部（１０）を形成する要素を提供する、前記底部（８）を含む前記下側部分（１Ｉ）と、前記部品（５）の少なくとも一部分のための少なくとも１つの通路（９）を有する、プレート要素（１８）を含む上側部分（１Ｓ）とを有し、
前記容器の前記上側部分（１Ｓ）が、前記弁（５Ｖ）の前記可動の制御デバイス（６０１）に対して直接もしくは中間部品の介在によって作用することができる要素のための、１つもしくは複数の通路を有するカバー（１Ｃ）であって、注ぎ口（ＢＶ）と結合した、カバー（１Ｃ）と結合し、
前記カバー（１Ｃ）が、前記部分または本体（６０２Ｃ）を、前記弁デバイス（６０２）の前記制御デバイス（６０１）と共に、少なくとも部分的に受け入れるチャンバ（６００）を画定し、前記カバー（１Ｃ）が、前記弁デバイス（６０２）の前記部分または本体（６０２Ｃ）を前記カバー（１Ｃ）に取り付け、前記制御デバイス（６０１）が前記カバー（１Ｃ）の前記チャンバ（６００）内部で動いている間、前記弁デバイス（６０２）の前記部分または本体（６０２Ｃ）を適所で維持する、１つもしくは複数の手段（６０３、６０４）を備える、組み合わせ。
【請求項２】
前記カバー（１Ｃ）が、（ａ）前記カバー（１Ｃ）の前記チャンバ内の前記制御デバイス（６０１）を含む前記部分または本体（６０２Ｃ）の少なくとも１つの位置決め手段（６０３、６０４）と結合し、また、（ｂ）前記弁デバイス（６０２）の前記制御デバイス（６０１）を含む前記部分または本体（６０２Ｃ）の少なくとも１つの保定部（６０５）と結合し、前記保定部（６０５）が、前記カバー（１Ｃ）に対して、前記カバー（１Ｃ）の前記チャンバ（６００）からの、前記弁デバイス（６０２）の前記制御デバイス（６０１）を含む前記部分もしくは本体（６０２Ｃ）の引抜きに、前記保定部（６０５）が対向する保定位置と、前記カバー（１Ｃ）の前記チャンバ（６００）からの、前記弁デバイス（６０２）の前記制御デバイス（６０１）を含む前記部分もしくは本体（６０２Ｃ）の引抜きに、前記保定部（６０５）が対向しない非保定位置との間で移動可能である、請求項１に記載の組み合わせ。
【請求項３】
前記カバー（１Ｃ）が、前記チャンバ（６００）内に、互いから離隔された、少なくとも１つが可撓性である少なくとも２つのタブ（６０３）を有し、前記タブ（６０３）が、前記弁デバイス（６０２）の前記制御デバイス（６０１）を含む前記部分または本体（６０２Ｃ）と協働して、前記カバー（１Ｃ）の前記チャンバ（６００）内における前記部分の位置決めを確保する手段として機能する、請求項１または２に記載の組み合わせ。
【請求項４】
前記カバー（１Ｃ）が、前記チャンバ（６００）内に停止部（６０４）を提供し、前記停止部（６０４）が、前記弁デバイス（６０２）の前記制御デバイス（６０１）を含む前記部分または本体（６０２Ｃ）の壁（６０６）に対する支持体として機能し、前記弁デバイス（６０２）の前記部分または本体（６０２Ｃ）に対する前記制御デバイス（６０１）の相対移動中における、前記弁デバイス（６０２）の前記部分または本体（６０２Ｃ）の動きを制限または防止する、請求項３に記載の組み合わせ。
【請求項５】
前記弁デバイス（６０２）の前記制御デバイス（６０１）を含む前記部分または本体（６０２Ｃ）が本体（６０２Ｃ）を有し、前記制御デバイス（６０１）が、前記本体（６０２Ｃ）の外側に延在し、前記弁（５Ｖ）の閉位置に相当する第１の位置と、前記弁（５Ｖ）の開位置に相当する第２の位置との間で、付勢手段（５Ｒ）の作用に対抗して前記本体（６０２Ｃ）に対して移動可能な、少なくとも１つの、有利には２つのラグ（６０８）を備え、前記付勢手段（５Ｒ）が、前記１つもしくは複数のラグ（６０８）が前記第２の位置に向かって動くのに対向する力を働かせる、請求項１ないし４のいずれか一項に記載の組み合わせ。
【請求項６】
前記カバー（１Ｃ）の前記チャンバ（６００）内に延在する前記タブ（６０３）が、前記カバー（１Ｃ）の前記チャンバ（６００）内で、前記弁デバイス（６０２）の前記制御デバイス（６０１）を含む前記部分または本体（６０２Ｃ）の前記１つもしくは複数のラグ（６０８）を位置決めする手段として機能し、前記１つもしくは複数のラグ（６０８）が、有利には、前記タブ（６０３）と前記停止部または当接部（６０４）との間で位置決めされる、請求項５に記載の組み合わせ。
【請求項７】
前記容器（１）が中心軸（Ａ−Ａ）を有し、前記制御デバイス（６０１）が、前記容器（１）の前記中心軸（Ａ−Ａ）に実質的に垂直な方向（Ｂ−Ｂ）で動く、請求項１ないし６のいずれか一項に記載の組み合わせ。
【請求項８】
前記上側部分（１Ｓ）の前記プレートまたは頂壁（１８）が、前記カバー（１Ｃ）の協働する要素（６１１）と協働して、前記容器（１）に対する、または前記頂壁（１８）に対する前記カバー（１Ｃ）の回転を少なくとも制限する、制限手段（６１０）を有する、請求項１ないし７のいずれか一項に記載の組み合わせ。
【請求項９】
前記プレートまたは頂壁（１８）が、前記容器（１）の前記内部チャンバ（３）に向かう通路（６１０）を有し、前記カバー（１Ｃ）の前記協働する要素が、前記カバー（１Ｃ）によって支えられるパイプである突起（６１１）であって、前記カバー（１Ｃ）によって支えられた前記パイプ（６１１）を介して前記内部チャンバ（３）内へと空気または液体が通るのを可能にする、請求項８に記載の組み合わせ。
【請求項１０】
前記容器（１）が中心軸（Ａ−Ａ）を有し、前記保定部（６０５）が、前記中心軸（Ａ−Ａ）に実質的に垂直な方向（Ｃ−Ｃ）で移動可能であり、前記保定部（６０５）が注ぎ口（ＢＶ）を備え、該注ぎ口の開放端（６１４）が、前記弁体（６０２Ｃ）の出口チャネル（６１５）の一端を受け入れる、少なくとも請求項２に記載の組み合わせ。
【請求項１１】
前記プレートまたは頂壁（１８）が、前記内部チャンバ（３）に面する第１の側面（１８Ａ）と、前記第１の側面（１８Ａ）に対向し、前記カバー（１Ｃ）の前記チャンバ（６００）に面する第２の側面（１８Ｂ）とを有し、前記可撓性の袋（４）が中空先端（６１７）と結合し、前記弁デバイス（６０２）が内部の開チャネル（６１９）を提供する要素（６１８）と結合し、横断断面が、前記要素（６１８）を前記中空先端（６１７）に挿入できるようにし、クランプ（６２０）が、前記プレートまたは頂壁（１８）の前記第２の側面（１８Ｂ）に乗る、請求項１ないし１０のいずれか一項に記載の組み合わせ。
【請求項１２】
前記保定部（６０５）が、突起（６２２）を前記カバー（１Ｃ）の陥凹部または窓（６２３）に挿入するシステムによって、前記カバー（１Ｃ）上の適所で保持される、少なくとも請求項２に記載の、また場合によっては請求項３ないし１１のうち一項または複数項を伴う組み合わせ。
【請求項１３】
前記保定部（６０５）が、前記カバー（１Ｃ）の前記チャンバ（６００）内に位置する
前記弁デバイス（６０２）の前記制御デバイス（６０１）へのアクセスを与える少なくとも１つの窓（６２５）を有し、前記窓（６２５）が、前記カバーの前記チャンバ（６００）にツール（６３１）の少なくとも１つの端部（６３０）を挿入して、前記制御デバイス（６０１）に、または前記制御デバイス（６０１）に作用する中間要素に力を加えることができるように位置決めされる、少なくとも請求項２に記載の、また場合によっては請求項３ないし１２のうち一項または複数項を伴う組み合わせ。
【請求項１４】
前記可撓性の袋（４）が、互いに結合されて柔軟なパウチを形成する第１の柔軟な要素（４Ｂ）および第２の柔軟な要素（４Ａ）を備え、前記第１の要素（４Ｂ）が前記第２の要素（４Ａ）よりもしなやかさまたは柔軟性が低く、前記第２の要素（４Ａ）が、前記パウチの内部に面する前記第１の要素（４Ｂ）の範囲より少なくとも５０％広い、前記パウチの内部に面する範囲を有する、請求項１ないし１３のいずれか一項に記載の組み合わせ。
【請求項１５】
前記可撓性の袋（４）が柔軟なネット（６２６）によって取り囲まれる、請求項１ないし１４のいずれか一項に記載の組み合わせ。
【請求項１６】
前記カバー（１Ｃ）が位置決め手段（６２７）を有し、前記位置決め手段が前記カバー（１Ｃ）の側面（１ＣＬ）に沿って延在する、請求項１ないし１５のいずれか一項に記載の組み合わせ。
【請求項１７】
請求項１ないし１６のいずれか一項に記載の組み合わせの箱に入れられた袋に収容された、ある量の液状または粘性の食品を、適切な温度範囲で分配する装置であって、
前記装置が少なくとも、
硬質の箱（１）およびカバー（１Ｃ）の前記組み合わせに対する、少なくとも１つの支持要素（１０１）を有する構造（１００）と、
前記硬質の箱（１）の内部チャンバ（３）内を流れるように意図された、水性媒体用のタンク（１０２）と、
前記硬質の箱（１）の前記内部チャンバ（３）内を流れるように意図された、前記水性媒体の少なくとも一部の温度を調節する手段（１０３）と、
前記袋（４）の外側で、前記箱の前記内部チャンバ（３）と連通している前記硬質の箱の１つまたは複数の通路を接続する、少なくとも１つの接続（１０６Ａ、１０６Ｂ）と、
前記可撓性の袋（４）の外側で前記硬質の箱の前記内部チャンバ（３）内で前記水性媒体を循環させ、前記内部チャンバ（３）内に存在する前記水性媒体を加圧する、少なくとも１つのポンプ（１１１Ａ、１１１Ｂ）を有する回路（１１０）と、
分配される食品の量の制御手段（１０５）とを備える、装置。
【請求項１８】
前記構造が、箱（１）および該箱のカバー（１Ｃ）の組み合わせを前記支持要素（１０１）上に配置することができる開位置もしくは上昇位置と、箱および該箱のカバーの組み合わせを前記支持要素（１０１）上に配置するのを、または箱および該箱のカバーの組み合わせを前記支持要素（１０１）から除去するのを妨げる閉位置もしくは下降位置との間で、前記支持要素（１０１）に対して動くことができる部品（１１２０）を備える、請求項１７に記載の装置。
【請求項１９】
前記支持要素（１０１）が、前記可撓性の袋（４）の外側で前記箱（１）の前記内部チャンバ（３）と連通している、前記下側部分（１Ｉ）または底部の少なくとも１つの通路と協働するように設計された１つまたは複数の接続手段（１０６Ｂ）を備え、前記接続手段（１０６Ｂ）が、水性媒体が前記回路（１１０）を流れるように１つまたは複数のパイプ（１１）と接続される、請求項１７または１８に記載の装置。
【請求項２０】
対象となる前記支持要素（１０１）上に置かれた箱の前記下側部分の少なくとも１つの通路と協働するように設計された、接続手段（１０６Ｂ）を有する少なくとも１つの支持要素（１０１）を備える、請求項１７ないし１９のいずれか一項に記載の装置。
【請求項２１】
前記回路（１１０）が、前記支持要素（１０１）上に乗った前記箱（１）の上方の高さに位置するように設計された、少なくとも１つの延長管と結合する、請求項１７ないし２０のいずれか一項に記載の装置。
【請求項２２】
前記回路（１１０）の少なくとも１つのポンプ（１１１Ａ）が、支持要素（１０１）上に置かれた、前記袋の外側における前記箱の頂部から底部までの水性媒体の流れを提供するように設計される、請求項１７ないし２１のいずれか一項に記載の装置。
【請求項２３】
前記回路（１１０）が通気弁（１３０）と結合する、請求項１７ないし２２のいずれか一項に記載の装置。
【請求項２４】
前記移動可能な部品（１１２０）が前記開位置にあるとき、前記回路の前記ポンプ（１１１Ａ）の動作を防ぐ制御システムと結合する、請求項１７ないし２３のいずれか一項に記載の装置。
【請求項２５】
前記水性媒体のレベルが、前記タンク（１０２）および延長管（１１５）から成る群から選択された容器内で所定のレベルに達したとき、１つまたは複数の安全システムを備える、請求項１７ないし２４のいずれか一項に記載の装置。
【請求項２６】
前記カバーの前記チャンバまたは中空体内の前記制御デバイスを含む前記部分の少なくとも１つの位置決め手段（６０３、６０４）と結合し、また、前記弁デバイス（６０２）の前記制御デバイス（６０１）を含む前記部分に対する少なくとも１つの保定部（６０５）と結合する、カバー（１Ｃ）を備える硬質の箱と協働するのに適しており、前記保定部（６０５）が、前記カバー（１Ｃ）の前記チャンバまたは中空体（６００）からの、前記弁デバイス（６０２）の前記制御デバイス（６０１）を含む前記部品の引抜きに対向する保定位置と、前記保定部（６０５）が、前記カバー（１Ｃ）の前記チャンバまたは中空体（６００）からの、前記弁デバイス（６０２）の前記制御デバイス（６０１）を含む前記部分の引抜きに対向しない非保定位置との間で、前記保定部（６０５）が前記カバー（１Ｃ）に対して移動可能であり、
移動ツールが、少なくとも、弁（５Ｖ）を前記開位置に至らせるように前記弁デバイス（６０２）の前記制御デバイス（６０１）に作用する位置と、前記弁デバイス（６０２）の前記制御デバイス（６０１）が前記弁（５Ｖ）の閉位置に相当する位置にある休止位置との間で、前記保定部（６０５）の窓（６２５）を通って動くことができる、少なくとも１つの爪状要素（６３１）を有する、請求項１７ないし２５のいずれか一項に記載の装置。
【請求項２７】
前記移動ツール（６３１）が、爪が前記箱の前記カバーの前記チャンバの外側に位置する位置と、前記爪が前記カバーの前記チャンバ内に位置する端部を有し、前記弁の前記制御デバイスに作用して前記弁（５Ｖ）を前記開位置に至らせる位置との間で動くことができる少なくとも１つの爪状要素を有し、中間位置では、前記爪が、前記爪が前記カバーの前記チャンバ内に位置する端部を有するが、前記弁（５Ｖ）を前記開位置に至らせるように前記弁の前記制御デバイスに作用しない位置にある、請求項１７ないし２６のいずれか一項に記載の装置。
【請求項２８】
請求項１ないし１６のいずれか一項に記載の組み合わせの箱に入れられた袋に収容された液状または粘性の食品を、請求項１７ないし２７のいずれか一項に記載の装置を使用す
ることによって分配する方法であって、
少なくとも、
前記装置の支持要素上に、少なくとも、液状または粘性の測品を収容した可撓性の袋を含む硬質の箱とカバーの組み合わせを配置するステップと、
前記硬質の箱の前記内部チャンバ（３）内を流れる、水性媒体の温度を制御するステップと、
適切な温度を有する水性媒体を圧力下で前記硬質の箱の前記内部チャンバ（３）に入れるように、前記ポンプの動作を制御するステップと、
前記可撓性の袋から容器に流れ込む液体または粘性の食品の量を制御するため、前記弁の前記開口部を制御するステップとを含む、方法。
【請求項２９】
請求項１ないし１６のいずれか一項に記載の組み合わせのための硬質の箱（１）のカバー（１Ｃ）であって、
前記カバーが、前記容器（１）の前記上側部分（１Ｓ）または上側プレート要素（１８）と結合するように適合され、
前記カバーが、弁（５Ｖ）の前記移動可能な制御デバイス（６０１）に作用することができる要素に対する１つまたは複数の通路を有し、
前記カバー（１Ｃ）が、前記弁デバイス（６０２）の前記制御デバイス（６０１）を含む前記部分を少なくとも部分的に受け入れるチャンバ（６００）を画定し、前記カバー（１Ｃ）が、前記弁デバイス（６０２）の前記部分（６０２Ｃ）を前記カバー（１Ｃ）に取り付け、前記制御デバイス（６０１）が前記カバー（１Ｃ）の前記チャンバ（６００）内部で動いている間、前記弁デバイス（６０２）の前記部分を適所で維持する、１つまたは複数の手段（６０３、６０４）を備える、カバー（１Ｃ）。
【請求項３０】
前記カバー（１Ｃ）が、前記カバー（１Ｃ）の前記チャンバ内の前記制御デバイス（６０１）を含む前記部分の少なくとも１つの位置決め手段（６０３、６０４）と結合し、また、前記弁デバイス（６０２）の前記制御デバイス（６０１）を含む前記部分の少なくとも１つの保定部（６０５）と結合し、前記保定部（６０５）が、前記カバー（１Ｃ）に対して、前記カバー（１Ｃ）の前記チャンバまたは中空部（６００）からの、前記弁デバイス（６０２）の前記制御デバイス（６０１）を含む前記部分の引抜きに、前記保定部（６０５）が対向する保定位置と、前記カバー（１Ｃ）の前記チャンバまたは中空部（６００）からの、前記弁デバイス（６０２）の前記制御デバイス（６０１）を含む前記部分の引抜きに、前記保定部（６０５）が対向しない非保定位置との間で移動可能である、請求項２９に記載のカバー。
【請求項３１】
前記カバー（１Ｃ）が、前記チャンバまたは中空体（６００）内に、互いから離隔された、少なくとも１つが可撓性である少なくとも２つのタブ（６０３）を有し、前記タブ（６０３）が、前記弁デバイス（６０２）の前記制御デバイス（６０１）を含む前記部分と協働して、前記カバー（１Ｃ）の前記チャンバ（６００）内における前記部分の位置決めを確保する手段として機能する、請求項２９または３０に記載のカバー。
【請求項３２】
前記カバー（１Ｃ）が、前記チャンバ（６００）内に停止部（６０４）を提供し、前記停止部が、前記弁デバイス（６０２）の前記制御デバイス（６０１）を含む前記部分の壁（６０６）に対する支持体として機能し、前記弁デバイス（６０２）の前記部分に対する前記制御デバイス（６０１）の相対移動中における、前記弁（６０２）の前記部分の動きを制限または防止する、請求項３１に記載のカバー。
【発明の詳細な説明】
【技術分野】
【０００１】
本発明は、適切な提供温度範囲で飲食される液状または粘性食品用の可撓性の袋が内部まで延在する内部チャンバを画定する壁を備え、可撓性の袋が弁を備える部品と結合した、硬質の箱に関する。箱は、可撓性の袋の外側、内部チャンバ内で水性媒体を流して飲食される食品の温度を制御するのに適した、少なくとも１つ、好ましくは２つまたはそれ以上の通路を備える。
【０００２】
特に本発明の箱は、液状または粘性食品を収容するように設計された袋を収容する硬質の箱であり、この食品は飲食者の容器に分配されるように意図されており、前記食品は、有利には、食品の望ましくない酸化を回避し、それによって食品のより良好な保存を確保するため、酸素および好ましくは光から守られる。
【０００３】
本発明は、ＷＯ２０１５／１８４５１３を改善したものである。
【背景技術】
【０００４】
本出願は、２０１５年１２月１０日にＷＯ２０１５／１８４５１３として公開された、２０１５年６月１日付けのＰＣＴ／ＢＥ２０１５／００００２６の一部継続出願である、２０１６年１２月１日付けの米国特許出願第１５／３６６，３１３号の優先権を主張する。
【０００５】
ＷＯ２０１５／１８４５１３の内容を参照により本明細書に援用する。
【０００６】
内袋が外袋に収納され、内袋には液体が充填され、外袋が空気を受け入れて内袋を加圧し、液体が流れるように設計されたものが、米国特許第６２４７６１９号によって知られている。
【０００７】
米国特許出願公開第２０１２／００２４８９６号も、内袋が外袋に収納され、内袋が飲食用の液体を収容し、外袋が氷または冷媒物質を収容するものについて記載している。
【０００８】
米国特許出願公開第２００９／００７８７２１号は、ワインが充填された袋を受け入れるように設計された容器について記載している。容器は冷蔵庫に入れられてもよい。袋は、押しボタンまたは栓を備える弁などの分配手段と結合する。
【０００９】
米国特許第７８９６１９９号は、例えば氷を収容する、外袋に収納された内袋について記載している。
【００１０】
弁と結合した、ワインが充填された袋を収容する厚紙の箱である、「キュービーボックス（cubybox）」も知られている。
【００１１】
知られている全てのデバイスは、飲食される液状食品にとってできるだけ温度を適切にするのに、冷却剤を循環させることができない。
【００１２】
それに加えて、知られている全てのデバイスは、下向きにされるように設計された袋の一端の近傍にある液状食品または飲料を集める。したがって、ワインまたは他の飲料の場合、飲料中に固体粒子が存在する場合、それが分配栓に堆積する傾向がある。更に、栓が下向きにされていると、栓が動作不良になった場合に損失するリスクが大きい。
【００１３】
本発明は、中でも特にこれらの問題を解決する箱に関する。
【００１４】
ＷＯ２０１５／１８４５１３に開示されている箱に関して、この箱は、弁システムと結合した袋を備え、弁システムの開放はカバー全体の動きに依存しない。本発明の箱のカバーは、弁システムの可動デバイスが動いているとき、弁システムの部品の位置を維持するように適合されている。本発明の箱の場合、弁システムをカバーに結合する前に、袋を閉止するようにして、弁システムを袋に独立して装着することができる。これは、充填済みの袋を箱の中で製造するのに非常に有利であるが、その理由として、カバーがない状態で、箱に入れる前に袋を充填できるようになり、また例えば、封止された充填済みの袋を箱の中に配置する前に、袋の適正な充填および弁システムの適正な封止を制御できるようになる。したがって、袋の充填作業は、袋を硬質の箱の中に配置するのとは独立した作業であることができる。
【発明の概要】
【００１５】
本発明はまた、かかる１つまたは複数の箱と結合することができ、特に、分配される食品の適切な温度を確保しながら、できるだけノイズを少なくして、空気を袋に入れることなく、頂部から分配することを可能にする、装置に関する。好ましくは、同じ液体が箱内（袋の外側）を循環して、袋の中に存在する液状食品の適切な温度を確保すると共に、袋の内容物の（わずかな）加圧を確保して、食品分配ポンプを使用することなく液状食品の分配を可能にする。かかる装置によって、袋の外側で箱内に存在する液体の圧力にしたがって、分配を制御することが可能になる（流量の突然の変化はなく、分配は袋内に残っている液体の量とは独立して制御される）。
【００１６】
本発明は、適切な提供温度範囲（例えば、ワイン、蒸留酒、ソフトドリンクの場合は３〜２０℃、白ワインもしくはロゼワインの場合は例えば６〜１２℃、赤ワインの場合は１５〜２０℃、ソースの場合は３０〜８０℃など）で、飲食される液状または粘性食品（例えば、ワイン、ソース、アルコール飲料など）を収容する可撓性の袋または内袋が中まで延在する内部チャンバを、１つまたは複数の壁が画定する、硬質の箱に関する。可撓性の袋（４）は、弁を備える部品（５）、もしくは膜を備える部品（５）と結合するか、または弁を備える部品（７）と協働するように設計された保護手段（６）と結合する。箱は、有利には、飲食される食品を加熱または冷却する、即ち内部チャンバ（３）内を流れる液状水性媒体に対して、１つまたは複数の壁を保護する手段を備えるか、またはそれと結合する。例えば、１つもしくは複数の壁（２）は、有利には、少なくとも適切な提供温度範囲に近い温度の水性媒体に対して耐性がある、内部チャンバ（３）に面する側面（２Ｃ）を有する。
【００１７】
本発明は、硬質の箱（１）とカバー（１Ｃ）との組み合わせであって、硬質の箱が、内部チャンバ（３）内を流れる水性媒体を使用することによって適切な提供温度範囲で飲食される液状または粘性の食品用の可撓性のもしくは柔軟な袋（４）が中に延在する、内部チャンバ（３）を１つもしくは複数の壁（２）が画定する容器（１）を有し、前記袋（４）が、弁５Ｖを少なくとも開位置と閉位置との間で動かす制御デバイス６０１を有する、部分または本体６０２Ｃを有する弁デバイス（６０２）と結合した部品（５）と結合し、前記容器（１）が、下側部分（１Ｉ）もしくは底部（８）が、有利には、必要に応じて手段（６Ａ）（チューブの通過、およびチューブの除去後の開口部の再封止を可能にするように適合された膜など）によって閉止することができる少なくとも１つの開口部（１０）、またはかかる開口部（１０）を形成する要素（前記開口部は、内部チャンバ（３）と連通する）を提供する、底部（８）を有する下側部分（１Ｉ）と、前記部品（５）の少なくとも一部分のための、有利には一部分のみのための少なくとも１つの通路（９）を備えた、プレート要素または頂壁要素（１８）を有する上側部分（１Ｓ）とを有し、
箱が、有利には、水性媒体から１つまたは複数の壁（２）を保護する手段を備え／結合
するか、あるいは１つまたは複数の壁（２）が、有利には、少なくとも適切な提供温度範囲近くにおいて水性媒体に耐性をもつ、内部チャンバ（３）に面する側面（２Ｃ）を有し、
容器の上側部分（１Ｓ）、またはプレート要素（１８）が、弁（５Ｖ）の可動の制御デバイスに対して直接もしくは中間部品の介在によって作用することができる要素のための、開口部または通路を有するカバー（１Ｃ）であって、注ぎ口（ＢＶ）と結合した、カバー（１Ｃ）と結合し、
前記組み合わせが更に、本質的にまたは好ましくは、カバー（１Ｃ）が、部分（弁体など）を、弁デバイス（６０２）の制御デバイス（６０１）と共に、少なくとも部分的に受け入れるチャンバまたは中空体（６００）を画定し、前記カバー（１Ｃ）が、弁デバイス（６０２）の前記部分（もしくは弁体）をカバー（１Ｃ）に取り付け、前記制御デバイス（６０１）がカバー（１Ｃ）の前記チャンバ（６００）内部で動いている間、弁デバイス（６０２）の前記部分または弁体を適所で維持する、１つまたは複数の手段（６０３、６０４）を備えることを特徴とする、組み合わせに関する。
【００１８】
本発明の組み合わせでは、袋の外側における容器内の媒体の流れは、好ましくは、下側開口部と上側開口部との間で操作される。しかしながら、いくつかの実施形態では、袋の外側における容器内の液体または媒体の流れが、場合によっては２つの別々のチャネルを有する接続チューブを使用して、容器の頂部のみまたは容器の底部のみの１つもしくは複数の開口部を通ることを確保することが可能である。
【００１９】
下側部分（１Ｉ）と上側部分（１Ｓ）との間に位置する、（上記および添付図面に開示する、本発明の）箱の側壁（２）の少なくとも一部分は、好ましくは内部チャンバ（３）に面する側面に沿って、前記水性媒体のための１つもしくは複数のガイドチャネル（１２）を形成する少なくとも１つの手段を備え、ならびに／あるいは１つもしくは複数のガイドチャネル（１２）を形成する手段と結合し、前記ガイドチャネル（１２）は、可撓性のもしくは柔軟な袋（４）がチャンバ（３）内に存在する場合であっても、１つもしくは複数のチャネル（１２）が水性媒体の通過に対して開いているか、または開いたままである。袋は、好ましくは、アルミニウム層を含むプラスチックで作られる。硬質の箱が不透明の場合、一部の食品が不透明ではない袋を使用することが可能である。
【００２０】
本発明による組み合わせでは、箱の１つまたは複数の壁は、有利には、少なくとも適切な提供温度範囲に近い温度（水性媒体の温度は、例えば、周囲温度に応じて変わる）で、水性媒体（例えば、場合によっては、クエン酸、界面活性剤、もしくはグリコールなどの添加物を含む、水であるが、好ましくは飲用水）に耐えるように設計された、内部チャンバに面する内面または内表面を有する。周囲温度が食品提供温度よりも高い（したがって、食品を冷却するか、もしくは食品をその提供温度で維持して、周囲温度による加温を回避する必要がある）とき、水性媒体の温度は、有利には、最適な食品提供温度よりも、例えば、２〜５℃など、１〜１０℃低温になる。反対に、食品提供温度が周囲温度よりも高い（したがって、食品を加熱するか、もしくは食品をその提供温度で維持して、周囲温度による冷却を回避する必要がある）とき、水性媒体の温度は、有利には、食品の適切な提供温度よりも、例えば１〜２０℃、特に２〜１０℃高温になる。
【００２１】
「弁」または「弁デバイス」という用語は、本明細書では、袋から出る食品の流れを制御するように設計された、栓または他の任意のシステムも指す。
【００２２】
開チャネルは、箱の壁と袋との間に水性媒体の通路を提供し、したがって箱内における水性媒体の良好な流れを確保して、袋に収容された食品の最適な冷却もしくは加熱を提供するか、または飲食される食品の実質的に最適な温度を維持するように設計される。
【００２３】
箱に導入される水性媒体はまた、袋内に存在する食品の加圧を可能にするので、袋または箱から出てくる量の食品を、最適温度に近い温度で飲食することが可能になる。
【００２４】
それに加えて、袋が空になってくるにつれて、箱内に存在する水性媒体の量が多くなり、それによって袋内の食品のより迅速な温度調節が可能になる。袋内の食品の量がまだ多い場合、箱内の水性媒体の量が低減される。しかしながら、袋内の食品の温度が設定されれば、分配される食品の量は、袋内に存在する食品の温度にはほとんど影響しない。
【００２５】
有利には、袋は箱内で吊り下げられる。これにより、全ての固体粒子が袋の底に残り、飲食のために提供されないことが確保される。これにより、分配チャネル内または弁もしくは栓内における堆積が防止される。
【００２６】
好ましい実施形態の詳細によれば、本発明による組み合わせは、次の特徴のうち１つまたは複数を有する。
袋（４）は、箱（３）内で吊り下げられる。ならびに／あるいは、
箱（１）は、その上側部分（１Ｓ）付近に、前記袋（４）の外側に位置する内部チャンバ（３）の部品と入口および／または出口パイプ（６１１）との間に接続を形成するように設計された、少なくとも１つの通路（１４、６１０）を有する。ならびに／あるいは、
下側部分（１Ｉ）と上側部分（１Ｓ）との間の箱（１）の側壁（２）の少なくとも一部分は、内部チャンバ（３）に面するその側面に沿って、前記水性媒体の一連のガイドチャネルを形成する少なくとも１つの手段（１２）を備え、および／または１つもしくは複数のガイドチャネル（１２）を形成する手段と結合し、前記ガイドチャネル（１２）は、チャンバ内に可撓性の袋が存在していても、１つまたは複数のチャネルが水性媒体の通路に対して開いているように設計され、前記チャネル（１２）は、有利には、前記側壁に沿って分配される。１つまたは複数のガイドチャネル（１２）を形成する前記手段は、例えば、袋を取り囲む、および／または箱の内側面に適合することができる、可撓性のまたは柔軟なまたは硬質のネット状要素である。ならびに／あるいは、
箱は、１つまたは複数の側壁（２）と、底部を形成する底壁（８）と、底壁（８）とは反対側の頂壁（１８）とを備え、底壁（８）は、前記袋（４）の外側に位置する内部チャンバ（３）の部品と入口および／または出口パイプとの間に接続を形成するように設計された、少なくとも１つの通路（１０）を有する。前記通路（１０）は、有利には、入口／出口パイプの除去後に、前記開口部または通路（１０）を再封止するように適合された、封止膜を備える。頂壁（１８）は、前記袋（４）と結合した部品（５）と協働するように設計された、または前記袋（４）と結合した部品（５）を備える、少なくとも１つの通路（９）を有する。底部を形成する底壁（８）の通路（１０）は、袋（４）の外側にある内部チャンバ（３）の部品への液体の供給と、袋の外側にあるチャンバの前記部分からの液体の除去または抽出との両方を提供するように設計することができる。通路は、例えば、チャンバ内へと延在し、上端の近傍に一端を有するパイプを用いて、例えば入ってくる液体の流れを少なくとも部分的にチャンバの部分に向ける、独自のものであってもよく、または別個のものであってもよい。ならびに／あるいは、
上側壁（１８）は、部品と、有利には前記袋（３）と結合した部品（５）と協働して、前記袋（４）の外側に位置する内部チャンバ（３）の部品と入口および／または出口パイプ（１５）との間に接続を形成するように設計される。ならびに／あるいは、
箱の１つまたは複数の壁（２）は、少なくとも部分的に、断熱性（２０）のコーティングまたは層を備える。ならびに／あるいは、
頂壁（１８）は、袋（４）の内部と連通する１つのみの通路（９）を有し、前記通路（９）は、袋から出ていく液体の通過に対抗する閉位置と付勢手段（５Ｒ）の作用に抵抗する開位置との間で移動可能な弁（５Ｖ）を備える部品（５）と結合し、底部（８）は、袋（４）の外側に位置する箱の内部チャンバ（３）の部品と連通する１つもしくは複数の開口部のみを有し、前記開口部は、場合によっては、１つもしくは複数の入口および／また
は出口パイプ部分と結合する。付勢または戻り手段は、変形されるとその最初の変形していない形状に戻る傾向がある、ばねまたは弾性的に変形可能な材料であってもよい。ならびに／あるいは、
頂壁（１８）は、内部チャンバ（３）内で袋を吊り下げる手段を有するかまたは備え、手段はその位置を、箱の１つもしくは複数の側壁（２）に対して確保するように設計される。ならびに／あるいは、
箱は手段を備え、前記手段は、有利には、内部チャンバ（３）に対する通路（９、１０）の１つまたは複数の開口部を取り囲むスカートであり、前記スカート（２１）は、好ましくは頂壁（１８）によって支えられて、内部チャンバ（３）に前記水性媒体を充填している間、袋の外側に位置する内部チャンバの部品内に少なくともある量の空気が存在することを確保する。手段は、チャンバ３内に入るチューブ６１１の一部分であることもできる。ならびに／あるいは、
底部部分（８）および頂壁（１８）はそれぞれ、箱（１）の１つまたは複数の側壁を画定するケーシング（２）の内面に乗るように設計されたフランジ（底部部分の場合は１０Ｂ）を有し、前記フランジ（１０Ｂ）は、有利には、ケーシング（２）の端部がベース部分（８）および頂壁（１８）のそれぞれの溝（１０Ｇ、１８Ｓ）内で係合されているとき、底部部分（８）および頂壁（１８）に対してケーシング（２）を引き抜く動きに対抗する歯もしくは指を形成する好ましくは１つもしくは複数の突起を有する、２つの実質的に円筒状の壁（１８Ｓ１、１８Ｓ２）の間に画定される、開いた円形もしくは環状の溝（１８Ｓ）を画定する要素（１８Ｒ）であるか、または有利にはそれと結合し、前記円形もしくは環状の溝は、有利には、少なくともケーシング（２）と頂壁（１８）および底部部分（８）それぞれとの間の液体に対するシールを形成するように設計された、弾性のまたは変形可能な層（１０Ｔ、１８Ｔ）と結合する。ならびに／あるいは、
底部部分（８）は、箱（１）の内部チャンバ（３）に向かって旋回されるように設計された内面を有し、箱の底部部分が下方に面している状態で水平面上に乗ったとき、底部部分（８）の内面は、前記袋（４）の外側に位置する内部チャンバ（３）の部品と入口および／または出口パイプ（１１）との間に接続を形成するように設計された、通路（１０）に向かう傾斜を有する少なくとも１つの部品（８Ａ）を有する。ならびに／あるいは、
箱は、内部チャンバに導入される水性媒体の量を判定する、および／または袋内に存在する液状もしくは粘性の食品の量を判定する手段（２５）を備えるか、またはそれと結合するように設計される。ならびに／あるいは、
箱は、箱の使用前、および場合によっては箱の使用後に通路のクロージャを固定する、１つまたは複数の保護手段（６Ａ）と結合する。ならびに／あるいは、
箱は、１〜５バール（１×１０５Ｐａ〜５×１０５Ｐａ）の内部チャンバ内における水性媒体の圧力に耐えるように設計される。ならびに／あるいは、
箱は、頂壁によって閉止可能な上側開口部を備えた、底部を有する少なくとも１つの本体を有し、箱は、箱の本体の液密バリアを形成し、箱の内部チャンバを画定するように設計された内袋と結合し、前記頂壁は、可撓性の袋（４）の部品（５）と協働するように設計された少なくとも１つの通路（９）と、袋（４）の外側に位置する内部チャンバ（３）の部品と１つもしくは複数の入口／出口パイプとの接続を形成するように設計された１つもしくは複数の通路（１０）とを有する。ならびに／あるいは、
カバー（１Ｃ）は、カバーのチャンバまたは中空体（６００）内の制御デバイス（６０１）を含む部分または本体（６０２Ｃ）の少なくとも１つの位置決め手段（６０３、６０４）と結合し、また、弁デバイス（６０２）の制御デバイス（６０１）を含む部分（弁が少なくとも開位置と封止位置との間で動く、弁ユニット本体の弁体もしくは外表面）に対する少なくとも１つの保定部（６０５）と結合し、前記保定部（６０５）は、前記カバー（１Ｃ）に対して、前記保定部（６０５）が、カバー（１Ｃ）のチャンバまたは中空体（６００）からの、弁デバイス（６０２）の制御デバイス（６０１）を含む部品もしくは弁体の引抜きに対向する保定位置と、前記保定部（６０５）が、カバー（１Ｃ）のチャンバまたは中空体（６００）からの、弁デバイス（６０２）の制御デバイス（６０１）を含む
部分もしくは弁体の引抜きに対向しない非保定位置との間で移動可能である。ならびに／あるいは、
カバー（１Ｃ）は、そのチャンバまたは中空体（６００）内に、互いから離隔された少なくとも２つのタブ（６０３）を有し、その少なくとも１つは可撓性であり（好ましくは２つが可撓性であり）、前記タブ（６０３）は、弁デバイス（６０２）の制御デバイス（６０１）を含む部分または弁体と協働して、カバー（１Ｃ）のチャンバまたは中空体（６００）内における前記部分または弁体の位置決めを確保する手段として機能する。ならびに／あるいは、
カバー（１Ｃ）は、そのチャンバまたは中空体（６００）内に停止部（６０４）を提供し、前記停止部または当接部は、弁デバイス（６０２）の制御デバイス（６０１）を含む部分または弁体の壁（６０６）に対する支持体または当接部として機能し、弁デバイス（６０２）の前記部分または弁体に対する制御デバイス（６０１）の相対移動中の、弁デバイス（６０２）の前記部分または弁体の移動を制限または防止する。ならびに／あるいは、
弁デバイス（６０２）の制御デバイス（６０１）を含む部分または本体（６０２Ｃ）は、本体または本体部分（６０２Ｃ）を有し、制御デバイス（６０１）は、前記本体（６０２Ｃ、６０７）から外側に延在し、弁（５Ｖ）の閉位置に相当する第１の位置と、弁（５Ｖ）の開位置に相当する第２の位置との間で、付勢手段（５Ｒ）の作用に対抗して前記本体（６０７）に対して移動可能な、少なくとも１つの、有利には２つのラグ（６０８）を備え、前記付勢手段（５Ｒ）は、前記１つもしくは複数のラグ（６０８）がそれらの第２の位置に向かって動くのに対抗する力を働かせる。ならびに／あるいは、
カバー（１Ｃ）のチャンバまたは中空体（６００）内に延在するタブ（６０３）は、カバー（１Ｃ）の中空体またはチャンバ（６００）内で、弁デバイス（６０２）の制御デバイス（６０１）を含む部分または本体の１つもしくは複数のラグ（６０８）を位置決めする手段として機能し、前記１つもしくは複数のラグ（６０８）は、有利には、タブ６０３と停止部または当接部６０４との間で位置決めされる。ならびに／あるいは、
１つもしくは複数のラグ（６０８）は、１つもしくは複数のタブ（６０３）の隣接位置と、１つもしくは複数のタブ（６０８）の遠隔位置との間で、付勢手段（５Ｒ）に対抗して移動可能である。ならびに／あるいは、
容器（１）は中心軸（Ａ−Ａ）を有し、制御デバイス（６０１）または１つもしくは複数のラグ（６０８）は、容器（１）の前記中心軸（Ａ−Ａ）に垂直または実質的に垂直な方向（Ｂ−Ｂ）で動く。ならびに／あるいは、
上側部分（１Ｓ）のプレートまたは頂壁（１８）は、カバー（１Ｃ）の協働する要素（６１１）と協働して、容器（１）に対する、または頂部プレートもしくは頂壁（１８）に対するカバー（１Ｃ）の回転を制限し、好ましくは防止する、制限手段（６１０）を有する。ならびに／あるいは、
プレートまたは頂壁（１８）は、（容器（１１）の内部チャンバ（３）に向かう）通路または陥凹部（６１０）を有し、カバー（１Ｃ）の協働する要素（６１１）は、前記通路または陥凹部（６１０）内に延在して、容器またはプレートもしくは壁（１８）に対するカバーの回転を制限または防止する突起（６１１）であり、前記突起は、有利には、カバーによって支えられて、空気または液体がカバー（１Ｃ）によって支えられたパイプ６１１を介して内部チャンバに入るようにする、パイプである。
プレート（１８）は、容器（１）の内部チャンバ（３）に向かう通路（６１０）を有し、突起（６１１）は、カバー（１Ｃ）によって支えられて、空気または液体がカバー（１Ｃ）によって支えられたパイプ（６１１）を介して内部チャンバ（３）に入るようにするパイプであり、シールまたはリング（６１２）は、有利には、パイプ（６１１）の平坦な支持体（６１３）と容器（１）の上側部分（１Ｓ）のプレートもしくは頂壁（１８）との間で圧縮される。ならびに／あるいは、
容器（１）は中心軸（Ａ−Ａ）を有し、保定部（６０５）は、前記中心軸（Ａ−Ａ）に垂直な方向（Ｃ−Ｃ）で移動可能であり、前記保定部（６０５）は注ぎ口（ＢＶ）を備え
、その開放端（６１４）は、弁体（６０２Ｃ）の出口チャネル（６１５）の一端を受け入れる。ならびに／あるいは、
プレートまたは頂壁（１８）は、内部チャンバ（３）に面する第１の側面（１８Ａ）と、第１の側面とは反対側で、カバー（１Ｃ）のチャンバまたは中空体（６００）に面する第２の側面（１８Ｂ）とを有し、柔軟なまたは可撓性の袋（４）は中空先端（６１７）と結合し、弁デバイス（６０２）は、内部の開チャネル（６１９）を提供する要素（６１８）と結合し、横断断面は、要素（６１８）を中空先端（６１７）に挿入できるようにし、クランプ（６２０）は、場合によっては中間シールと共に、前記プレートまたは頂壁（１８）の第２の側面（１８Ｂ）に接触または当接し、有利には、弁デバイス（６０２）の前記要素（６１８）を取り囲むシール（６２１）は、プレートまたは頂壁（１８）の第１の側面（１８Ａ）に接し、好ましくは、中空先端（６１７）の有利にはカラーを含む遠位側縁部（６１７Ａ）と、プレート（１８）の前記第１の側面（１８Ａ）との間で圧縮される。ならびに／あるいは、
保定部（６０５）は、カバー（１Ｃ）の陥凹部または窓（６２３）内で、場合によってはストリップ（６２４）によって支えられる、クリップシステム、または突起（６２２）を挿入するシステムによって、カバー（１Ｃ）上の適所で保持される。
保定部（６０５）は、カバー（１Ｃ）の中空体またはチャンバ（６００）内に位置する弁（６０２）の制御デバイス（６０１）へのアクセスを与える、少なくとも１つの、有利には２つの窓（６２５）を有し、窓（６２５）は、カバーの中空体またはチャンバ（６００）にツール（６３１）の１つもしくは複数の端部（６３０）を挿入して、制御デバイス（６０１）または前記制御デバイス（６０１）に作用する中間要素に力を加えることができるように位置決めされ、前記窓（６２５）はまた、有利には、保定部（６０５）をカバー（１Ｃ）から分離するツールを挿入できるように位置決めされ設計される。ならびに／あるいは、
可撓性／柔軟な袋（４）は、互いに結合されて柔軟なパウチを形成する第１の柔軟な要素（４Ｂ）および第２の柔軟な要素（４Ａ）を備え、第１の要素（４Ｂ）は第２の要素（４Ａ）よりもしなやかさまたは柔軟性が低く、この第２の要素（４Ａ）は、パウチの内部に面する第１の要素（４Ｂ）の範囲より少なくとも５０％、好ましくは７５％〜３００％広い、パウチの内部に面する範囲を有する。ならびに／あるいは、
有利には、柔軟な袋の先端（６１７）は、第１の柔軟な要素（４Ａ）に結合されたその縁部の１つの付近で、前記第２の柔軟な要素（４Ａ）に付着される。ならびに／あるいは、
柔軟な袋（４）は、柔軟なネット（６２６）によって、有利には弾性の柔軟なネットによって取り囲まれる。ならびに／あるいは、
カバー（１Ｃ）は、位置決め手段または中空体もしくは陥凹部（６２７）を有し、前記手段または中空体もしくは陥凹部は、カバー（１Ｃ）の側面（１ＣＬ）に沿って延在する。ならびに／あるいは、
箱は、箱の使用前または箱の使用後に、１つもしくは複数の通路または窓の閉止を確実にする、１つまたは複数の保護手段（６、６Ａ、６Ｂ、６Ｃ）と結合する。ならびに／あるいは、
これらの詳細および特徴のいずれかの組み合わせ。
【００２７】
本発明は更に、有利には上述した特徴および詳細の１つもしくは複数を有する、本発明の組み合わせにしたがって、箱に入れられた袋に収容されたある量の液状または粘性の食品を、適切な温度範囲で分配する装置に関し、前記装置は少なくとも次のものを備える。
本発明による少なくとも１つの組み合わせの箱（１）およびカバー（１Ｃ）（例えば、カバー（１Ｃ）を有する一連のかかる箱（１））に対する、少なくとも１つの支持要素（１０１）を有する構造（１００）。
可撓性の袋４の外側で、箱１の内部チャンバ３内を流れることが意図された、水性媒体用の（１つもしくは複数の）タンク。
可撓性の袋４の外側で箱１の内部チャンバ３内を流れる、前記水性媒体の少なくとも一部の温度を調節する手段（１０３）。
有利には、袋（４）の外側で、箱の１つもしくは複数の通路を接続してその内部チャンバ（３）と連通する、１つまたは複数の接続。
可撓性の袋（４）の外側にある硬質の箱の内部チャンバ（３）内で前記水性媒体を循環させ、内部チャンバ（３）内に存在する水性媒体を加圧する、少なくとも１つのポンプ（１１１Ａ、１１１Ｂ）を有する回路（１１０）（有利には、水性媒体の少なくとも一部分の温度を適合させ、可撓性のまたは柔軟な袋の外部にある箱の内部チャンバ内で水性媒体を循環させ、内部チャンバ内に存在する水性流体を加圧する手段における、水性媒体を循環させるポンプを有する回路）。
分配されるまたは分配されるべき食品の量を制御する手段であって、有利には、弁（６０２）の制御デバイス（６０１）に作用することができる移動ツール（６３１）を備える、分配されるまたは分配されるべき食品の量を制御する手段（１０５）。
【００２８】
本発明の装置の実施形態の有利な特徴は次の通りである。
構造は、箱およびそのカバーを支持要素上に配置することができる開位置もしくは上昇位置と、箱およびそのカバーを支持要素上に配置するのを、または箱およびカバーの組み合わせを支持要素から除去するのを妨げる閉位置もしくは下降位置との間で、支持要素に対して動くことができる部品を備える。ならびに／あるいは、
支持要素は、袋の外側にある箱の内部チャンバと連通する下側部分の少なくとも１つの通路と協働するように設計された、１つまたは複数の接続手段を備え、前記接続手段は、前記回路の１つまたは複数の水性媒体の入口／出口パイプに接続される。ならびに／あるいは、
支持要素に対して動くことができる部品は、袋の内部と連通する箱の通路と協働し、分配チューブと協働するように設計された接続手段と、袋の外側にある内部チャンバと連通する箱の通路と協働するように設計された接続手段とを備え、移動可能な部品が開位置にあるとき、前記接続手段は箱の前記通路から遠隔にあり、前記移動可能な部品が閉位置にあるとき、前記接続手段は、袋の内部と連通する箱の通路と協働し、分配チューブと協働するのに適切な位置にある。ならびに／あるいは、
装置は、支持要素上に乗るかまたは配置される箱の下側部分の少なくとも１つの通路と協働するように設計された、接続手段を有する１つまたは複数の支持要素を備える。ならびに／あるいは、
回路は、支持要素上に乗るかまたは配置された１つもしくは複数の箱の上方の高さに位置する、少なくとも１つの管または延長管と結合する。ならびに／あるいは、
回路は、１つまたは複数の熱交換器手段と結合して、水性媒体が１つまたは複数の箱内を循環する前にその温度を調節する。ならびに／あるいは、
回路のポンプは、支持要素上に置かれた、袋の外側にある箱の頂部から底部までの水性媒体の流れを提供するように設計される。ならびに／あるいは、
ポンプは、支持要素上に置かれた箱から水性媒体を抽出し、それをタンクまで運ぶように設計される。ならびに／あるいは、
１つまたは複数の支持要素は、少なくとも１つの箱を、例えば２つまたは２つを超える別個の箱を支持するように設計され、装置は、別個のポンプを備えた少なくとも２つの回路を含み、各回路は、チャンバ内の水性媒体の流れを提供するように設計される。ならびに／あるいは、
回路または各回路は、回路内に存在する空気を排気するか、または空気を回路に取り込む通気弁と結合する。ならびに／あるいは、
回路または各回路のポンプは、支持要素、または支持要素上に置かれた箱の下方の高さに載置される。ならびに／あるいは、
装置は、移動可能な部品が開位置にあるときは回路のポンプの動作を防ぐ、制御システムと結合する。ならびに／あるいは、
装置は、充填を簡単にする、１つもしくは複数の除去可能または移動可能なタンクと結合する。ならびに／あるいは、
装置は、水性媒体の高さがタンク内または管もしくは延長管内の所定の高さに達したときの、１つまたは複数の安全システムを備える。ならびに／あるいは、
装置は、袋内に存在する液状または粘性の食品の量を判定する制御デバイスを備える。ならびに／あるいは、
装置は、袋から分配される食品の量を制御するデバイスを備える。ならびに／あるいは、
装置は、回路および／または制御デバイスを流れる水性媒体に対する、ポンプおよび／または熱交換器に電力供給する電気グリッドへの接続を有する、移動デバイスの形態である。ならびに／あるいは、
有利には、移動ツールは、少なくとも、弁５Ｖを開位置に至らせるように弁デバイスの制御デバイス（６０１）に作用する位置と、弁デバイスの制御デバイス（６０１）が弁５Ｖの閉位置に相当する位置にある休止位置との間で、保定部（６０５）の窓（６２５）を通って動くことができる、少なくとも１つの爪状要素（６３１）を有する。ならびに／あるいは、
好ましくは、可動ツール（６３１）は、爪が箱のカバーの中空部またはチャンバの外側に位置する位置と、爪がカバーの中空部またはチャンバ内に位置する端部を有し、弁の制御デバイスに作用して開位置に至らせる位置との間で、（有利には、少なくとも１つの枢動移動によって）動くことができる少なくとも１つの爪状要素を有し、中間位置では、爪は、爪がカバーの中空部またはチャンバ内に位置する端部を有するが、弁を開位置に至らせるように弁の制御デバイスに作用しない位置にある。ならびに／あるいは、
有利な実施形態では、装置は、装置の底部に対する箱の適正な位置決めを確保する手段を備える。ならびに／あるいは、
これらの特徴のいずれかの組み合わせ。
【００２９】
本発明はまた、本発明による装置の支持要素上に置かれた、本発明の組み合わせの箱に入れられた袋に収容された液状または粘性の食品を分配する方法であって、水性媒体の温度が調節され、ポンプの動作が、適切な温度を有する水性媒体を圧力下で箱に入れるように制御され、袋が箱内で圧縮されて、ある量の液状または粘性の食品が袋からチューブを通って容器を充填するのを可能にする、方法に関する。
【００３０】
特に、方法は、本明細書に開示される本発明の装置を使用して、飲食用容器（グラスなど）内に、本明細書内に開示される本発明による組み合わせの袋に収容された液状または粘性の食品を分配する方法であって、
前記方法は、少なくとも、
装置の支持要素上に、少なくとも、液状または粘性の食品を収容した可撓性の袋を含む硬質の箱を配置するステップと、
硬質の箱の内部チャンバ（３）内を流れる、水性媒体の温度を制御するステップと、
適切な温度を有する水性媒体を圧力下で硬質の箱の内部チャンバ（３）に入れる、ポンプの動作を制御するステップと、
可撓性の袋から容器に流れ込む液体または粘性の食品の量を制御するため、弁の開口部を制御するステップとを含む。
【００３１】
本発明の好ましい実施形態の特定の特徴および詳細は、添付図面を参照する以下の詳細な説明から明白となるであろう。
【図面の簡単な説明】
【００３２】
【図１】カバー１Ｃを備えたＷＯ２０１５／１８４５１３による箱を示す図である（本出願の図１は、前記公開済み出願の図１６に対応する）。
【図２】図１の箱およびカバーを示す分解組立図である。
【図３】本発明による改善された箱およびカバーを示す分解組立図である。
【図４】図３に示される箱の袋を示す斜視図である。
【図５】図４の袋を形成する２つのフィルムの結合を示す部分図である。
【図６Ａ−Ｃ】保定部の上面図、下面図、および側面図である。
【図７】カバー、袋、および容器を示す分解断面図である。
【図８】弁の前面図である。
【図９】閉位置にある弁を示す断面図である。
【図１０】開位置にある弁体を示す断面図である。
【図１１】保定部を含まないカバーを示す上面図である。
【図１２】線ＸＩＩ−ＸＩＩに沿った図１１のカバーを示す断面図である。
【図１３】線ＸＩＩＩ−ＸＩＩＩに沿った図１１のカバーを示す断面図である。
【図１４】図１１のカバーの底部を示す図である。
【図１５】弁体が２つの可撓性タブの間に付着された図１１のカバーの底部を示す図である。
【図１６】図８〜図１０に示されるアセンブリの正面図である。
【図１７】弁と結合した袋を示す部分断面図である。
【図１８】図３に示される箱のための本発明による装置のユニットを示す図である。
【図１９】図３に示される箱のための本発明による装置のユニットを示す図である。
【図２０】箱が非係止位置にある、箱と結合した装置を示す部分図である。
【図２１】箱が係止位置にあり、弁を開位置に至らせるように爪がまだ制御デバイスに作用していない、箱を含む装置を示す図である。
【図２２】箱が係止位置にあり、爪が制御デバイスに作用して弁が開位置に至っている、箱を含む装置を示す図である。
【図２３Ａ−Ｂ】爪を含む制御手段を示す図である。
【発明を実施するための形態】
【００３３】
図面の説明において開示した好ましい実施形態は、単に例として与えられるものである。
【００３４】
図１は、ＷＯ２０１５／１８４５１３による好ましい箱（１）を示している（図２は、その分解組立図である）。この箱（１）は、本体（１）に付着されたキャップ（１Ｃ）と結合する。
【００３５】
壁（２）は内部チャンバ（３）を画定し、その中へと、適切な温度範囲で飲食される液状または粘性の食品を収容する可撓性の袋（４）が延在する。前記袋（４）は弁（５）と結合する。
【００３６】
下側部分（１Ｉ）と上側部分（１Ｓ）との間の箱（１）の側壁（２）の少なくとも一部分は、内部チャンバ（３）に面するその側面に沿って、前記水性媒体のための１つまたは複数のガイドチャネルを形成する少なくとも１つの手段（ネット１２など）を備え、前記１つまたは複数のガイドチャネル（１２）は、柔軟な／可撓性の袋（４）がチャンバ（３）内に存在する場合であっても、１つまたは複数のチャネル（１２）が水性媒体を通過させるために開いているかまたは開いたままであるように設計される。
【００３７】
袋（４）は、箱（１）内で、より正確にはチャンバ（３）内で吊り下げられる。これによって、液体、例えば飲料、ワインなどの中に存在することがある粒子が、液体（飲料、ワインなど）を消費者に分配するために袋から抽出している間、袋内に残るようにすることが可能になる。
【００３８】
箱（１）は、その上側部分（１Ｓ）付近に、前記袋（４）の外側に位置する内部チャンバ（３）の部分と、入口および／または出口パイプ（１５）との間に形成するように設計された、少なくとも１つの通路を有する。
【００３９】
下側部分（１Ｉ）と上側部分（１Ｓ）との間の箱（１）の側壁（２）の少なくとも一部分は、内部チャンバ（３）に面するその側面に沿って、前記水性媒体の一連のガイドチャネルを形成する少なくとも１つの手段（１２）を備え、前記ガイドチャネルは、チャンバ内に可撓性の袋が存在していても、１つまたは複数のチャネルが水性媒体の通路に対して開いているように設計され、前記チャネルは、有利には、前記側壁に沿って分配される。
【００４０】
頂壁（１８）は、袋（４）の内部と連通する１つのみの通路（９）を有し、前記通路（９）は、袋から出ていく液体の通過に対抗する閉位置と付勢または戻り手段（５Ｒ）の作用に抵抗する開位置との間で移動可能な弁（５Ｖ）を備える部品（５）と結合し、底部（８）は、袋（４）の外側に位置する箱の内部チャンバ（３）の部品と連通する単一の中央開口部のみを有し、前記開口部（１０）は、例えば引裂き可能である、あるいは剥離するかもしくは引き裂くか、または部分的もしくは完全に穿孔されるかまたは穿孔可能な場合がある、例えば１つもしくは複数のワッシャ（８Ｒ）によって付着される、シールもしくはフィルム（８Ｆ）によって遮断される。前記開口部（１０）は、液体入口パイプおよび出口パイプと（または、入口チャネルおよび出口チャネルを有するパイプと）結合するように設計される。ワッシャまたはリング（８Ｒ）は、有利には、入口および出口パイプが底部（８）に取り付けられたとき、カバーと入口および出口パイプとの間に封止を提供するように設計される。
【００４１】
弁（５Ｖ）の付勢または戻り手段（５Ｒ）は、ばね式のもの、または一旦変形されるとその当初のもしくは未変形の形状に戻る傾向がある、弾性的に変形可能な材料（例えば、エラストマー性）のものであってもよい。
【００４２】
部品（５）は、フランジ（５Ｕ）が頂壁（１８）上に置かれるか付着されたパイプ（５Ｔ）である。
【００４３】
箱は、注ぎ口（ＢＶ）を有するカバー（１Ｃ）と結合し、前記カバー（１Ｃ）は、少なくとも弁（５Ｖ）の開放を制御するように設計された、メカニズム（Ｍ１０、Ｍ１１）と結合する。箱は、箱と結合した、または箱に取り付けることができる（取外し可能もしくは不能の）カバー（Ｃ）と共に市販されていることがある。少なくとも弁（５Ｖ）の開放を制御するように設計されたメカニズムは、弁（５Ｖ）が閉位置にある（液体がパイプ（５Ｔ）を通るのを防ぐ）上昇位置と、弁（５Ｖ）が付勢手段（５Ｒ）の作用に対抗する開位置にある下降位置との間で移動可能な、少なくとも１つの手段（Ｍ１０）を備え、前記手段（Ｍ１０）は、パイプ（５Ｔ）に対する前記手段の相対位置で前記パイプ（５Ｔ）と協働して、前記手段（Ｍ１０）を下側位置で保持し、弁（５Ｖ）を開位置で維持するように設計された、手段（Ｍ１１）に適合されるかまたはそれと結合する。
【００４４】
前記箱の更なる詳細は、２０１５年１２月１０日に公開されたＷＯ２０１５／１８４５１３に開示されている。
【００４５】
図３〜１７は、本発明の箱とカバーとの組み合わせの、または本発明の組み合わせの一部の一実施形態の図である。
【００４６】
硬質の箱は、１つもしくは複数の壁（２）が、適切な提供温度範囲で飲食される液状または粘性の食品のための柔軟な袋（４）が中へと延在する内部チャンバ（３）を画定する容器（１）を提供し、前記袋（４）は、少なくとも開位置と閉位置との間で弁５Ｖを動か
す制御デバイス６０１を含む一部分を有する、弁デバイス６０２と結合した部品（５）と結合し、前記容器（１）は、必要であれば手段（６Ａ、膜、再封止可能な膜、もしくは引裂き可能な膜）によって閉止することができ、内部チャンバ（３）と連通する、少なくとも１つの開口部（１０）を提供する底部（８）を含む下側部分（１Ｉ）と、部品（５）またはその一部分の少なくとも１つの通路（９）を有するプレート要素（１８）を含む上側部分（１Ｓ）とを有する。
壁（２）は、少なくとも適切な提供温度範囲に近い温度の水性媒体に対して耐性がある、内部チャンバ（３）に面する側面（２Ｃ）を有する。
（円筒状）容器の上側部分（１Ｓ）は、弁デバイス６０２の制御デバイス６０１に作用することができる要素のための、開口部または通路６２５を有するカバー（１Ｃ）と結合し、このカバー（１Ｃ）は注ぎ口（ＢＶ）と結合する。
カバー（１Ｃ）は、部分または本体６０２Ｃを、弁デバイス（６０２）の制御デバイス（６０１）と共に、少なくとも部分的に受け入れるチャンバまたは中空体（６００）を画定し、前記カバー（１Ｃ）は、弁デバイス（６０２）の前記部分または本体（６０２Ｃ）をカバー（１Ｃ）に取り付け、前記制御デバイス（６０１）がカバー（１Ｃ）の前記チャンバ（６００）内部で動いている間、弁デバイス（６０２）の前記部分または本体を適所で維持する、１つまたは複数の手段（６０３、６０４）を備える。
カバー（１Ｃ）は、カバー（１Ｃ）のチャンバまたは中空体（６００）内の制御デバイス（６０１）を含む部分または本体（６０２Ｃ）の少なくとも１つの位置決め手段（６０３、６０４）と結合し、また、弁デバイス（６０２）の制御デバイス（６０１）を含む前記部分または本体（６０２Ｃ）の少なくとも１つの保定部（６０５）と結合し、前記保定部（６０５）は、前記カバー（１Ｃ）に対して、前記保定部（６０５）が、カバー（１Ｃ）のチャンバまたは中空体（６００）からの、弁デバイス（６０２）の制御デバイス（６０１）を含む部品、部分、もしくは弁体（６０２Ｃ）の引抜きに対向する保定位置と、前記保定部（６０５）が、カバー（１Ｃ）のチャンバまたは中空体（６００）からの、弁デバイス（６０２）の制御デバイス（６０１）を含む部分もしくは本体の引抜きに対向しない非保定位置との間で移動可能である。
【００４７】
カバー（１Ｃ）は、そのチャンバまたは中空体（６００）内に、互いから離隔された可撓性の少なくとも２つのタブ（６０３）を有し、前記タブ（６０３）は、弁デバイス（６０２）の制御デバイス（６０１）を備える部分（この場合、実質的に円筒状の本体）と協働して、カバー（１Ｃ）のチャンバまたは中空体（６００）内における前記部分の位置決めを確保する手段として機能する。
【００４８】
カバー（１Ｃ）はまた、そのチャンバまたは中空体（６００）内に停止部（６０４）を有し、前記停止部は、弁（６０２）の制御デバイス（６０１）を含む部分の壁（６０６）に対する支持体として機能し、弁（６０２）の前記部分に対する制御デバイス（６０１）の相対移動中の、弁（６０２）の前記部分の動きを制限または防止する。これによって、制御デバイスおよびそのラグ６０８が動いている間、弁体が安定する。
【００４９】
弁デバイス（６０２）の制御デバイス（６０１）と結合した弁体（６０２Ｃ）は、２つの窓（６０７Ｆ）を備えた中空な本体（６０７）を有し、制御デバイス（６０１）は、前記窓（６０７Ｆ）を通って前記本体（６０７）の外側に延在する２つのラグ（６０８）を備える。それらは、付勢手段（５Ｒ）（ばね要素に置き換えることができる、ゴムの半球形要素など）の作用に対抗して前記本体（６０７）に対して、弁（５Ｖ）の閉位置に相当する第１の位置（開いた端部先端６１５を閉止する）（図９を参照）と、弁（５Ｖ）の開位置に相当する第２の位置（図１０を参照）との間で移動可能であり、前記付勢手段（５Ｒ）は、前記１つまたは複数のラグ（６０８）がその第２の位置に向かって動くのに対向する力を働かせる。この付勢手段（５Ｒ）は、例えば、実質的に半球形のゴムの中空体であり、その頂部において、弁体（６０２Ｃ）を延長する（本体６０７の内部チャンバに向
かって方向付けられた）チューブ（６１５）の開口部を閉止するように設計された弁（５Ｖ）を支える。この付勢手段（５Ｒ）は、本体（６０７）の中空体内部に位置し、本体は、付勢手段（５Ｒ）の円形基部（５ＲＢ）に対する支持停止部または当接部（６０７Ｂ）を有する。ロッド（６０８Ｒ）は、弁（５Ｖ）の陥凹部とラグ（６０８）の支持体との間に延在し、付勢手段（５Ｒ）の中空体を通る。ラグを停止部（６０４）に向かって動かすと、付勢手段（５Ｒ）は弾性的に変形され、その中央部は、カバー（１Ｃ）の停止部もしくは壁（６０４）の方向で（または弁体（６０２Ｃ）の壁（６０６）に向かって）本体（６０７）の中空体に引き込まれる。ラグ（６０８）がスラストを加えるのに使用されなくなると、付勢手段（５Ｒ）はその当初の位置に戻り、弁体が、弁体（６０２Ｃ）の延長部を形成するチューブ６１５の開口部を閉止する。弁体（６０２Ｃ）は、内部通路（６１８ＣＩ）が、チャンバ（６０７）（または、チューブ６１５に向かって方向付けられたその第１の部品）と要素（６１８）の内部通路（６１９）との間の連通を形成する、パイプまたは中空接続要素（６１８Ｃ）によって、要素（６１８）に接続される。付勢手段（５Ｒ）が（付勢力に対抗して）動かされると、パイプ（６１５）の内側開口部を閉止する弁（５Ｖ）が、前記内側開口部から離れるようにチャンバ（６０７）内部で動かされ、その結果、通路（６１９）、パイプ（６１８ＣＩ）、および内部チャンバ（６０７）を介して、袋（４）の内部とチューブ（６１５）との間に通路が形成される。
弁（５Ｖ）および付勢手段（５Ｒ）は、中間部分（５Ｉ）を用いて互いに付着される。有利には、弁、付勢手段、および中間部分は、１つの単一個片、例えば単一のゴム片を形成する。付勢手段５Ｒは、中空体（６０７）の内部チャンバを２つの別個のチャンバに、即ち、出口チューブ（６１５）に向かって方向付けられた第１のチャンバと、窓（６０７Ｆ）を有する第２のチャンバとに分割する。
【００５０】
カバー（１Ｃ）のチャンバまたは中空体（６００）内に延在するタブ（６０３）は、カバー（１Ｃ）の中空体またはチャンバ（６００）内で、弁デバイス（６０２）の制御デバイス（６０１）を含む部分のラグ（６０８）を位置決めする手段として機能する。したがって、ラグは、タブ（６０３）と、カバー（１Ｃ）の停止部または当接部（６０４）との間に配置される。
【００５１】
ラグ（６０８）は、タブ（６０８）の隣接位置（弁の閉止位置）とタブ（６０８）の遠隔位置（弁の開位置）との間で、付勢手段（５Ｒ）に対抗して（軸線Ｂ−Ｂの方向で）移動可能である。ラグ（６０８）の軸線方向の動きは、任意の方法で窓（６０７Ｆ）によって制限される。
【００５２】
容器（１）は中心軸（Ａ−Ａ）を有し、制御デバイス（６０１）は、容器（１）の前記中心軸（Ａ−Ａ）に垂直または実質的に垂直な方向（Ｂ−Ｂ）で動く。これによって、カバー（１Ｃ）を容器（１）から分離するか、またはカバー（１Ｃ）を容器に固定する力を、弁デバイス（６０１）に作用することなく、働かせることが可能になる。
【００５３】
上側部分（１Ｓ）のプレート要素（１８）（プレートは、容器（１）の上側開口部を閉止する）は、カバー（１Ｃ）と協働して、容器（１）または頂部プレート（１８）に対するカバー（１Ｃ）の回転を制限し、好ましくは防止する手段（６１０）を有する。プレート（１８）は、例えば、中間の接着剤層と共に容器（１）の上縁部を受け入れるように設計された、円形の下側溝を有する。プレート（１８）はまた、カバー（１Ｃ）の円形縁部を受け入れるように設計された、円形の上側溝を有する。
【００５４】
このプレート（１８）は通路または陥凹部（６１０）を有し、カバー（１Ｃ）は、容器またはプレート（１８）に対するカバーの回転を制限もしくは防止する、チューブまたは中空の突起（６１１）を有する。
【００５５】
プレート（１８）は、容器（１）の内部チャンバ（３）に向かう通路または開口部（６１０）を有し、突起（６１１）は、カバー（１Ｃ）によって支えられ、前記開口部（６１０）を通って延在するように適合されることによって、空気または液体がカバー（１Ｃ）によって支えられたパイプ（６１１）を介して内部チャンバ（３）に入るようにするパイプであり、シール（６１２）は、有利には、パイプ（６１１）の平坦な支持体（６１３）と容器（１）の上側部分（１Ｓ）のプレート（１８）との間で圧縮される、パイプ（６１１）を取り囲む。
【００５６】
容器（１）は中心軸（Ａ−Ａ）を有し、保定部（６０５）は、前記中心軸（Ａ−Ａ）に垂直な方向（Ｃ−Ｃ、例えば方向Ｂ−Ｂに平行）で移動可能であり、前記保定部（６０５）は注ぎ口（ＢＶ）を備え、開放端のチューブ（６１４）は、弁デバイス（６０２）の出口チャネル（６１５）の一端を受け入れるように適合される。
【００５７】
プレート（１８）は、内部チャンバ（３）に面する第１の側面（１８Ａ）と、第１の側面の反対側であり、カバー（１Ｃ）のチャンバまたは中空体（６００）に面する第２の側面（１８Ｂ）とを有する。柔軟なまたは可撓性の袋（４）は中空先端（６１７）と結合し、弁（６０２）は、内部の開チャネル（６１９）を提供する要素（６１８）と結合し、横断断面は、要素（６１８）を中空先端（６１７）に挿入できるようにし、クランプは、場合によっては中間シールと共に、前記プレート（１８）の第２の側面（１８Ｂ）に接する。有利には、弁（６０２）の前記要素（６１８）を取り囲むシール（６２１）は、プレート（１８）の第１の側面（１８Ａ）上に乗り、好ましくは、有利にはカラーを有する、中空先端（６１７）の遠位側縁部（６１７Ａ）と、プレート（１８）の前記第１の側面（１８Ａ）との間で圧縮される。
【００５８】
下側プレート８は、中間の接着剤層と共に容器（１）の下縁部を受け入れるように設計された、周囲の円形溝（１０Ｇ）を有する。下側プレートは、本発明による装置の支持体上で位置決めされると、剥離可能もしくは引裂き可能なフィルム、または穿孔可能および再封止可能な膜によって閉止することができる、中央開口部（１０）を有する。
【００５９】
保定部（６０５）は、クリップシステムによって、つまり、陥凹部または窓（６２３）内に、場合によってはストリップ（６２４）によって支えられる、突起（６２２）を挿入するシステムによって、カバー（１Ｃ）上の適所で保持される。
【００６０】
保定部（６０５）は、カバー（１Ｃ）の中空体またはチャンバ（６００）内に位置する弁（６０２）の制御デバイス（６０１）へのアクセスを与える２つの窓（６２５）を有し、窓（６２５）は、カバーの中空体またはチャンバ（６００）にツール（６３１）の１つもしくは複数の端部（６３０）を挿入して、制御デバイス（６０１）に力を加えることができるように位置決めされ、前記窓（６２５）はまた、有利には、保定部（６０５）をカバー（１Ｃ）から分離するツールを挿入できるように位置決めされる。
【００６１】
袋（４）は、互いに結合されて柔軟なパウチを形成する第１の柔軟な要素（４Ｂ）および第２の柔軟な要素（４Ａ）を備え、第１の要素（４Ｂ）は第２の要素（４Ａ）よりもしなやかさまたは柔軟性が低く、この第２の要素（４Ａ）は、パウチの内部に面する第１の要素（４Ｂ）の範囲より少なくとも５０％、好ましくは７５％〜３００％広い、パウチの内部に面する範囲を有し、有利には、柔軟な袋の先端（６１７）は、第１の柔軟な要素（４Ａ）に結合された縁部の１つの付近で、前記第２の柔軟な要素（４Ａ）に付着される。
【００６２】
柔軟な袋（４）は、チャネルが容器の内面と柔軟な袋との間に存在して、液状食品を袋から抽出する動作中に袋の周りを液体が通れるようにすることを確保する手段として機能する、柔軟なネット（６２６）に取り囲まれる。
【００６３】
中空の先端（６１７）は、有利には、フィルム（４Ａ）に結合された下側カラー（６１７Ｂ）を有する（図７）。
【００６４】
カバー（１Ｃ）は、位置決め用の中空部または陥凹部（６２７）を有し、前記中空部または陥凹部は、カバー（１Ｃ）の側面または横の面（１ＣＬ）に沿って延在する（図１１）。
【００６５】
箱は、箱が使用される前に、１つもしくは複数の通路または窓の閉止を確実にする、１つまたは複数の保護手段（６、６Ａ、６Ｂ、６Ｃ）と結合する。例えば、かかる手段は、引裂き可能もしくは分離可能な可撓性フィルム、またはカバー（１Ｃ）の保定部の窓に対する引裂き可能もしくは変形可能な要素、または穿孔し、穿孔後に再封止することができる膜要素である。
【００６６】
図１８および１９は、適切な温度範囲で、本発明による箱に入れられた袋に収容された、ある量の液状または粘性の食品を分配する装置のユニットの図である。前記装置は少なくとも次のものを備える。
本発明による少なくとも１つの箱に対する、少なくとも１つの支持要素（１０１）を有する構造（１００）、
水性媒体用のタンク（１０２）、
前記水性媒体の少なくとも一部分の温度を調節する手段（１０３）、
内部チャンバ（３）と連通している箱の１つまたは複数の通路を袋（４）の外側に接続する、１つまたは複数の接続（１０６Ａ、１０６Ｂ）、
手段（１０３）によって水性媒体を循環させてその少なくとも一部分の温度を調節し、水性媒体を柔軟な袋（４）の外側で箱の内部チャンバ（３）内を循環させ、チャンバ（３）内に存在する水性媒体の加圧する、少なくとも１つのポンプ（１１１Ａ）を有する回路（１１０）、
弁（６０２）の制御デバイス（６０１）に作用することができる移動ツール（６３１）を備える、分配される食品の量を制御する手段（１０５）。
【００６７】
移動ツールは、少なくとも、弁を開位置に至らせるように弁の制御デバイス（６０１）に作用する位置と、弁デバイスの制御デバイス（６０１）が弁の閉位置に相当する位置にある休止位置との間で、保定部（６０５）の窓（６２５）を通って動くことができる、少なくとも１つの爪状要素（６３１）を有する。
【００６８】
移動ツール（６３１）は、爪が箱の中空部またはチャンバの外側に位置する位置と、爪がカバーの中空部またはチャンバ内に位置する端部を有し、弁の制御デバイスに作用して開位置に至らせる位置との間で、（有利には、少なくとも１つの枢動移動によって）動くことができる少なくとも１つの爪状要素を有し、中間位置では、爪は、爪がカバーの中空部またはチャンバ内に位置する端部を有するが、弁を開位置に至らせるように弁の制御デバイスに作用しない位置にある。
【００６９】
装置は、装置の底部に対する箱の適正な位置決めを確保する手段を備える。この目的のため、ユニットは、容器（１）の基部に対する支持プレート（ＰＳ）であって、（例えば、制御されたモータ（ＰＳＭ）を介して）実質的に垂直または垂直な軸線（容器（１）の中心軸Ａ−Ａに平行）の周りで回転する、プレート（ＰＳ）と、ユニット（１００）の後面上の突起（１５０）とを備え、この突起は、カバー（１Ｃ）の陥凹部（６２７）に嵌合するように設計される。本発明による箱を支えるプレート（ＰＳ）のわずかな回転移動により、突起（１５０）をカバー（１Ｃ）の中空部（６２７）に挿入することによって、箱の適正な位置決めを確保することが可能である。
適正に位置決めされると、例えばアクチュエータ（１０５Ｖ）によって、垂直方向で爪ホルダ（１０５）が動かされ（爪ホルダ（１０５）が下方に動かされるか、カバー（１Ｃ）に向かって動かされるか、もしくはプレート（ＰＳ）が上方に動かされる）、それによって爪（６３１）が保定部（６０５）の窓（６２５）に近付き、それらが回転移動によって、窓（６２５）を通ってカバーの中空体に入って、箱の除去に対向すると共に弁のラグ（６０８）に作用することができるように位置決めされる。例えば、爪（６３１）の回転移動は、第１のステップで、爪を箱の引抜きに対向するがラグ６０８には作用しない第１の位置（６３１ｂｉｓ）に至らせ、第２のステップで、爪を（弁５Ｖを開くために箱の引抜きに対向すると共にラグに作用して）第１の位置から第２の位置（６３１ｔｅｒ）まで動かして、実行することができる。
【図１】
2020500795.tif 000003
【図２】
2020500795.tif 000004
【図３】
2020500795.tif 000005
【図４】
2020500795.tif 000006
【図５】
2020500795.tif 000007
【図６Ａ】
2020500795.tif 000008
【図６Ｂ】
2020500795.tif 000009
【図６Ｃ】
2020500795.tif 000010
【図７】
2020500795.tif 000011
【図８】
2020500795.tif 000012
【図９】
2020500795.tif 000013
【図１０】
2020500795.tif 000014
【図１１】
2020500795.tif 000015
【図１２】
2020500795.tif 000016
【図１３】
2020500795.tif 000017
【図１４】
2020500795.tif 000018
【図１５】
2020500795.tif 000019
【図１６】
2020500795.tif 000020
【図１７】
2020500795.tif 000021
【図１８】
2020500795.tif 000022
【図１９】
2020500795.tif 000023
【図２０】
2020500795.tif 000024
【図２１】
2020500795.tif 000025
【図２２】
2020500795.tif 000026
【図２３Ａ】
2020500795.tif 000027
【図２３Ｂ】
2020500795.tif 000028
【国際調査報告】
2020500795.tif 000029
2020500795.tif 000030
2020500795.tif 000031
2020500795.tif 000032